(57)【要約】【課題】連結部に応力が集中することなく耐久性に優れたコンタクト構成を有する、ＦＰＣ等の可撓性のある基板を回路基板に接続するための電気コネクタを提供する。【解決手段】電気コネクタ１におけるコンタクト２０，３０は、ハウジング１０に固定される基部２１，３１と、基部２１，３１から延び、下側接点２４ｂ，３４ｂを有する弾性アーム２４，３４と、上側接点２５ａ，３５ａおよびアクチュエータ４０が作用する被駆動部２５ｂ，３５ｂを有するアーム２５，３５と、弾性アーム２４，３４およびのアーム２５，３５を連結する連結部２６，３６と、基部２１，３１から延び、弾性アーム２４，３４の上方への変形時に弾性アーム２４，３４に当接する停止部２７，３７とを備えている。【選択図】図４
2008235183.tif 000002
【特許請求の範囲】
【請求項１】
可撓性のある基板が挿入される基板挿入凹部を有するハウジングと、該ハウジングに取り付けられたコンタクトと、前記ハウジングに回動可能に取り付けられ、前記コンタクトを駆動するアクチュエータとを備えた電気コネクタであって、
前記コンタクトは、ハウジングに固定される前後方向に延びる基部と、該基部の前側寄りの部分から後方に向けて延び、上側に突出する下側接点を有する弾性アームと、前後方向に延び、前端近傍に下側に突出する上側接点を、後端近傍に前記アクチュエータが作用する被駆動部を有するアームと、前記弾性アームの後側寄りの部分と前記アームの前記上側接点と前記被駆動部との間の部分とを連結する連結部と、前記基部から延び、前記弾性アームの上方への変形時に前記弾性アームの後端部に当接する停止部とを備えたことを特徴とする電気コネクタ。
【請求項２】
前記下側接点は、前記アクチュエータを操作する前に前記基板挿入凹部に突出しない位置に位置していることを特徴とする請求項１記載の電気コネクタ。
している。
【発明の詳細な説明】
【技術分野】
【０００１】
本発明は、ＦＰＣ等の可撓性のある基板を回路基板に接続するための電気コネクタに関する。
【背景技術】
【０００２】
従来より、ＦＰＣ等の可撓性のある基板を、電気コネクタを介して回路基板に接続することが行われている。
従来のこの種の電気コネクタとして、例えば、図７に示すものが知られている（特許文献１参照）。図７は、従来の電気コネクタを示し、（Ａ）はアクチュエータが解除位置にあるときの電気コネクタの断面図、（Ｂ）はアクチュエータが接続位置にあるときの電気コネクタの断面図である。
【０００３】
図７（Ａ），（Ｂ）において、電気コネクタ１０１は、ＦＰＣ等の可撓性のある基板（図示せず）が挿入される基板挿入溝１１１を有するハウジング１１０と、ハウジング１１０に固定される複数の挟持動作用接触片１２０と、ハウジング１１０に固定される複数の対向側接触片１３０と、ハウジング１１０に回動可能に取り付けられ、挟持動作用接触片１２０を駆動するアクチュエータ１４０とを具備している。
【０００４】
ここで、複数の挟持動作用接触片１２０は、ハウジング１１０の幅方向（図７（Ａ）において紙面に直交する方向）に沿って所定ピッチで配置されている。そして、各挟持動作用接触片１２０は、前後方向（図７（Ａ）において左右方向）に延びる、ハウジング１１０への固定部１２１と、前方へ延びる上側接触部１２４及び後方へ延びる被駆動部１２５を有するアーム１２３と、固定部１２１とアーム１２３とを連結する連結部１２６とを備えている。固定部１２１には、回路基板（図示せず）に接続される基板接続部１２２が設けられている。
【０００５】
また、複数の対向側接触片１３０は、挟持動作用接触片１２０と上下方向において対向する位置でハウジング１１０の幅方向に沿って所定ピッチで配置されている。そして、各対向側接触片１３０は、ハウジング１１０への固定部１３１と、固定部１３１の後縁から後方に延びてＵ字状に前方に折り返される下側接触部１３３とを備えている。固定部１３１には、回路基板に接続される基板接続部１３２が設けられている。
【０００６】
更に、アクチュエータ１４０は、図７（Ａ）に示す解除位置と図７（Ｂ）に示す接続位置との間を回動可能にハウジング１１０に取り付けられている。アクチュエータ１４０の先端には、アクチュエータ１４０が解除位置から接続位置に回動するときに、挟持動作用接触片１２０の被駆動部１２５を押圧する押圧部１４１が設けられている。
【０００７】
このように構成された電気コネクタ１０１にＦＰＣ等の基板を接続するには、アクチュエータ１４０が図７（Ａ）に示す解除位置にあるときに、基板を前側からハウジング１１０の基板挿入溝１１１に差し込み、そして、アクチュエータ１４０を図７（Ｂ）に示す接続位置に回動する。すると、全ての挟持動作用接触片１２０の被駆動部１２５がアクチュエータ１４０の押圧部１４１により上方に押圧され、各挟持動作用接触片１２０にある上側接触部１２４が連結部１２６の上端近傍を支点として下方に変位し、基板挿入溝１１１内に突出する。これにより、挟持動作用接触片１２０の上側接触部１２４と対向側接触片１３０の下側接触部１３３とで基板を挟持することになる。このとき、上側接触部１２４と基板の上面に設けた導電パッド（図示せず）とが接触し、対向側接触片１３０の下側接触部１３３と基板の下面に設けた導電パッド（図示せず）とが接触することになる。これにより、基板が電気コネクタ１０１に電気的に接続され、基板と回路基板とが電気的に導通することになる。
【０００８】
この電気コネクタ１０１によれば、基板挿入溝１１１内に挿入された基板に向かって挟持動作用接触片１２０の上側接触部１２４を動作させるアクチュエータ１４０を備えたことにより、ＦＰＣ等の可撓性のある基板の接続を容易にすることができる。
【特許文献１】特開２００２−１９０３６０公報
【発明の開示】
【発明が解決しようとする課題】
【０００９】
しかしながら、この従来の電気コネクタ１０１にあっては、以下の問題点があった。
即ち、挟持動作用接触片１２０の被駆動部１２５がアクチュエータ１４０の押圧部１４１により上方に押圧され、上側接触部１２４が連結部１２６の上端近傍を支点として下方に変位する際に、連結部１２６が弾性変形することになる。このアクチュエータ１４０を駆動した際に、挟持動作用接触片１２０において、弾性変形する領域はほぼ連結部１２６のみであり、応力が連結部１２６に集中し、耐久性に劣るおそれがあった。
【００１０】
また、各対向側接触片１３０の下側接触部１３３はアクチュエータ１４０により駆動されないので、基板との接圧を確保するために基板挿入溝１１１内に常に突出している状態にある。このため、基板を基板挿入溝１１１に差し込むときに、基板と下側接触部１３３とが接触し、下側接触部１３３が基板の挿入に抵抗することになってしまう。下側接触部１３３が基板の挿入抵抗となってしまっては、電気コネクタ１０１をＺＩＦ（Zero Insertion Force）型、いわゆる無挿抜力型にすることができない。
【００１１】
従って、本発明は上述の問題点に鑑みてなされたものであり、その目的は、連結部に応力が集中することなく耐久性に優れたコンタクト構成を有する、ＦＰＣ等の可撓性のある基板を回路基板に接続するための電気コネクタを提供することにある。
また、本発明の他の目的は、基板を挿入するときにＺＩＦを達成することができる、ＦＰＣ等の可撓性のある基板を回路基板に接続するための電気コネクタを提供することにある。
【課題を解決するための手段】
【００１２】
上記目的を達成するために、本発明の請求項１に係る電気コネクタは、可撓性のある基板が挿入される基板挿入凹部を有するハウジングと、該ハウジングに取り付けられたコンタクトと、前記ハウジングに回動可能に取り付けられ、前記コンタクトを駆動するアクチュエータとを備えた電気コネクタであって、前記コンタクトは、ハウジングに固定される前後方向に延びる基部と、該基部の前側寄りの部分から後方に向けて延び、上側に突出する下側接点を有する弾性アームと、前後方向に延び、前端近傍に下側に突出する上側接点を、後端近傍に前記アクチュエータが作用する被駆動部を有するアームと、前記弾性アームの後側寄りの部分と前記アームの前記上側接点と前記被駆動部との間の部分とを連結する連結部と、前記基部から延び、前記弾性アームの上方への変形時に前記弾性アームの後端部に当接する停止部とを備えたことを特徴としている。ここで、「可撓性のある基板」とは、ＦＰＣ（Flexible Printed Circuit）などの可撓性のある回路基板に限らず、ＦＦＣ（Flexible Flat Cable）などの可撓性のあるケーブルをも含む意である。
また、本発明のうち請求項２に係る電気コネクタは、請求項１記載の電気コネクタにおいて、前記下側接点は、前記アクチュエータを操作する前に前記基板挿入凹部に突出しない位置に位置していることを特徴としている。
【発明の効果】
【００１３】
本発明のうち請求項１に係る電気コネクタによれば、コンタクトは、ハウジングに固定される前後方向に延びる基部と、基部の前側寄りの部分から後方に向けて延び、上側に突出する下側接点を有する弾性アームと、前後方向に延び、前端近傍に下側に突出する上側接点を、後端近傍にアクチュエータが作用する被駆動部を有するアームと、弾性アームの後側寄りの部分とアームの上側接点と被駆動部との間の部分とを連結する連結部と、基部から延び、弾性アームの上方への変形時に弾性アームの後端部に当接する停止部とを備えたので、連結部に応力が集中することなく耐久性に優れたコンタクト構成を有する、ＦＰＣ等の可撓性のある基板を回路基板に接続するための電気コネクタを提供することができる。
【００１４】
また、本発明のうち請求項２に係る電気コネクタによれば、請求項１記載の電気コネクタにおいて、前記下側接点は、前記アクチュエータを操作する前に前記基板挿入凹部に突出しない位置に位置しているので、基板を基板挿入凹部に挿入するときに、基板は下側接点に接触することなく、ＺＩＦ、いわゆる無挿抜力を達成することができる。
【発明を実施するための最良の形態】
【００１５】
以下、本発明の実施の形態を図面を参照して説明する。図１は、本発明に係る電気コネクタをＦＰＣとともに示す斜視図である。図２は、図１に示す電気コネクタの一部を前後方向に切断した状態の断面図である。図３は、図１に示す電気コネクタを第１コンタクトの位置で前後方向に切断した状態の断面図であって、アクチュエータが解除位置にある状態を示している。図４は、図１に示す電気コネクタを第１コンタクトの位置で前後方向に切断した状態の断面図であって、アクチュエータが解除位置から４５°回動した状態を示している。図５は、図１に示す電気コネクタを第１コンタクトの位置で前後方向に切断した状態の断面図であって、アクチュエータが接続位置にある状態を示している。図６は、図１に示す電気コネクタを第２コンタクトの位置で前後方向に切断した状態の断面図であって、アクチュエータが解除位置にある状態を示している。
【００１６】
図１乃至図５において、電気コネクタ１は、ハウジング１０と、ハウジング１０に取り付けられた複数の第１コンタクト２０及び複数の第２コンタクト３０と、ハウジング１０に回動可能に取り付けられ、第１及び第２コンタクト２０，３０を駆動するアクチュエータ４０とを具備している。
ここで、ハウジング１０は、絶縁性の樹脂を成形することによって幅方向（図１において左右方向、図３において紙面に対して直交する方向）に長く延びるほぼ直方体状に形成されている。ハウジング１０は、幅方向に長く延びるハウジング本体１１と、ハウジング本体１１の幅方向両端から後方（図３における右方）に延びる１対の延長部１５とを備えている。そして、ハウジング本体１１には、図１乃至図３に示すように、ＦＰＣ５０が挿入される基板挿入凹部１２が設けられている。基板挿入凹部１２は、ハウジング本体１１の幅方向ほぼ全域に亘って、かつ、前面に開口して後方に向けて延びている。ハウジング本体１１には、第１コンタクト２０が収容される第１コンタクト収容溝１３及び第２コンタクト３０が収容される第２コンタクト収容溝１４が、ハウジング本体１１の幅方向に沿って所定ピッチで交互に設けられている。第１コンタクト収容溝１３及び第２コンタクト収容溝１４は、基板挿入凹部１２と交差するように設けられている。
【００１７】
また、複数の第１コンタクト２０は、図３に示すように、ハウジング本体１１の後側から第１コンタクト収容溝１３内に収容され、ハウジング本体１１に圧入固定されるようになっている。そして、各第１コンタクト２０は、図３に示すように、前後方向に延びる基部２１と、基部２１の前側寄りの部分から後方に向けて延びる弾性アーム２４と、前後方向に延びるアーム２５と、弾性アーム２４とアーム２５とを連結する連結部２６とを備えている。各第１コンタクト２０は、ばね弾性を有する金属板を打抜き加工することによって形成される。
【００１８】
ここで、基部２１の前端には、ハウジング本体１１に圧入固定される圧入固定部２２が突出して形成され、基部２１は圧入固定部２２によってハウジング本体１１に圧入固定されるようになっている。また、弾性アーム２４は、基部２１の前側寄りの部分から湾曲部２４ａを介して後方に延び、前後方向のほぼ中間の位置に上側に突出する下側接点２４ｂが設けられている。下側接点２４ｂは、ＦＰＣ５０の下面側の端部に設けられた導電パッド（図示せず）に接触するようになっている。また、アーム２５は、前後方向に延びるよう形成され、前端近傍には下側に突出する上側接点２５ａが、後端近傍にはアクチュエータ４０が作用する下側に突出する被駆動部２５ｂが設けられている。上側接点２５ａの前後方向位置は、下側接点２４ｂの前後方向位置にほぼ対応し、上側接点２５ａは、下側接点２４ｂに対してほぼ対向するようになっている。また、上側接点２５ａは、ＦＰＣ５０の上面側に設けられた導電パッド（図示せず）に接触するようになっている。ＦＰＣ５０の上面側に設けられた導電パッドは、下面側に設けられた前記導電パッドとは回路的に同一である。そして、連結部２６は、弾性アーム２４の後側寄りの部分と、アーム２５の上側接点２５ａと被駆動部２５ｂとの間の部分とを連結するようになっている。また、基部２１の後端部には、回路基板ＰＣＢ上に半田接続される基板接続部２３が設けられている。更に、基部２１の後側寄りの部分には、弾性アーム２４が上方へ変形したときに弾性アーム２４の後端部２４ｃに当接する停止部２７が上方へ延びるように設けられている。
【００１９】
また、複数の第２コンタクト３０は、図６に示すように、第１コンタクト２０とは異なり、ハウジング本体１１の前側から第２コンタクト収容溝１４内に収容され、ハウジング本体１１に圧入固定されるようになっている。そして、各第２コンタクト３０は、図６に示すように、第１コンタクト２０と同様に、前後方向に延びる基部３１と、基部３１の前側寄りの部分から後方に向けて延びる弾性アーム３４と、前後方向に延びるアーム３５と、弾性アーム３４とアーム３５とを連結する連結部３６とを備えている。各第２アーム３０は、ばね弾性を有する金属板を打抜き加工することによって形成される。ここで、基部３１の後端には、ハウジング本体１１に圧入固定される圧入固定部３２が突出して形成され、基部３１は圧入固定部３２によってハウジング本体１１に圧入固定されるようになっている。また、弾性アーム３４は、基部３１の前側寄りの部分から湾曲部３４ａを介して後方に延び、前後方向のほぼ中間の位置に上側に突出する下側接点３４ｂが設けられている。但し、下側接点３４ｂの前後方向に沿った位置は、第２コンタクト収容溝１４内に収容された際に、第１コンタクト２０の下側接点２４ｂよりもやや後側にずれた位置に位置するように設定されている。そして、下側接点３４ｂは、ＦＰＣ５０の下面側の端部に設けられた導電パッド（図示せず）に接触するようになっている。また、アーム２５は、前後方向に延びるよう形成され、前端近傍には下側に突出する上側接点３５ａが、後端近傍にはアクチュエータ４０が作用する下側に突出する被駆動部３５ｂが設けられている。上側接点３５ａの前後方向に沿った位置は、下側接点３４ｂと同様に、第２コンタクト収容溝１４内に収容された際に、第１コンタクト２０の上側接点２４ａよりもやや後側にずれた位置に位置するように設定され、下側接点３４ｂの前後方向に沿った位置にほぼ対応している。このように、各第２コンタクト３０の下側接点３４ｂ及び上側接点３５ａの前後方向に沿った位置を、各第１コンタクト２０の下側接点２４ｂ及び上側接点２５ａの前後方向に沿った位置に対して後側にずらすことにより、幅方向における接点の千鳥配列を達成している。そして、上側接点３５ａは、ＦＰＣ５０の上面側に設けられた導電パッド（図示せず）に接触するようになっている。ＦＰＣ５０の上面側に設けられた導電パッドは、下面側に設けられた前記導電パッドとは回路的に同一である。そして、連結部３６は、弾性アーム３４の後側寄りの部分と、アーム３５の上側接点３５ａと被駆動部３５ｂとの間の部分とを連結するようになっている。また、基部３１の前端部には、回路基板ＰＣＢ上に半田接続される基板接続部３３が設けられている。更に、基部３１の後側寄りの部分には、弾性アーム３４が上方へ変形したときに弾性アーム３４の後端部３４ｃに当接する停止部３７が上方へ延びるように設けられている。
【００２０】
更に、アクチュエータ４０は、ハウジング１０の幅方向に長く延びる操作部４１と、操作部４１から延びるとともに、ハウジング１０に設けられた１対の延長部１５間を延びる取付部４２とを備えている。アクチュエータ４０は、絶縁性の樹脂を成形することによって形成されている。アクチュエータ４０の取付部４２の幅方向両端に設けられた軸部（図示せず）が、ハウジング１０の１対の延長部１５に対して回動可能に軸支されている。アクチュエータ４０は、図３に示す解除位置と図５に示す接続位置との間を回動するようになっている。また、図３に示すように、取付部４２には、各第１コンタクト２０の被駆動部２５ｂが入り込む第１溝４３及び各第２コンタクト３０の被駆動部３５ｂが入り込む第２溝４４が幅方向に沿って交互に設けられている。そして、第１溝４３には、アクチュエータ４０が解除位置から接続位置に向けて回動する際に、第１コンタクト２０の被駆動部２５ｂに作用し、被駆動部２５ｂを押し上げる第１駆動部４５が設けられている。その一方、第２溝４４にも、アクチュエータ４０が解除位置から接続位置に向けて回動する際に、第２コンタクト３０の被駆動部３５ｂに作用し、被駆動部３５ｂを押し上げる第２駆動部４６が設けられている。
【００２１】
このように構成された電気コネクタ１にＦＰＣ５０を接続する方法を図３乃至図５を参照して説明する。
先ず、アクチュエータ４０が図３に示す解除位置にあるときに、ＦＰＣ５０をハウジング１０の前側から基板挿入凹部１２内に差し込む。
次いで、アクチュエータ４０を図５に示す接続位置に向けて回動する。すると、アクチュエータ４０の第１駆動部４５が第１コンタクト２０の被駆動部２５ｂに作用して被駆動部２５ｂを押し上げ、また同時にアクチュエータ４０の第２駆動部４６が第２コンタクト３０の被駆動部３５ｂに作用して被駆動部３５ｂを押し上げる。これに伴って、第１コンタクト２０のアーム２５、連結部２６及び弾性アーム２４が弾性アーム２４の湾曲部２４ａ近傍を支点として上方に向けて変形する。また同時に、第２コンタクト３０のアーム３５、連結部３６及び弾性アーム３４が弾性アーム３４の湾曲部３４ａ近傍を支点として上方に向けて変形する。この際に、弾性アーム２４，３４、連結部２６，３６及び連結部２６，３６から被駆動部２５ｂ、３５ｂまでが弾性変形する領域である。
【００２２】
そして、アクチュエータ４０が図４に示す、解除位置から４５°回動した状態になると、各第１コンタクト２０の下側接点２４ｂ及び各第２コンタクト３０の下側接点３４ｂはハウジング１０の基板挿入凹部１２に突出する。下側接点２４ｂ、３４ｂの上方には上側接点２５ａ，３５ａがほぼ対向した位置にあり、ＦＰＣ５０を上方から受けているので、下側接点２４ｂ及び３４ｂがＦＰＣ５０に対し下側から接圧を付与することになる。  また、このとき、各第１コンタクト２０の弾性アーム２４の後端部２４ｃが停止部２７に当接するとともに、各第２コンタクト３０の弾性アーム３４の後端部３４ｃが停止部３７に当接することになる。
【００２３】
そして、アクチュエータ４０が図４に示す状態から図５に示す接続位置になるまでの間では、アクチュエータ４０の第１駆動部４５が第１コンタクト２０の被駆動部２５ｂに作用して被駆動部２５ｂを更に押し上げ、また同時にアクチュエータ４０の第２駆動部４６が第２コンタクト３０の被駆動部３５ｂに作用して被駆動部３５ｂを更に押し上げる。この際に、第１コンタクト２０の弾性アーム２４は、後端部２４ｃが停止部２７に当接していることから、上方に変形せず、第１コンタクト２０のアーム２５の上側接点２５ａ側が連結部２６の上端近傍を支点として下方に変位することになる。また同時に、第２コンタクト３０の弾性アーム３４は、後端部３４ｃが停止部３７に当接していることから、上方に変形せず、第２コンタクト３０のアーム３５の上側接点３５ａ側が連結部３６の上端近傍を支点として下方に変位することになる。この際に、連結部２６，３６が弾性変形する領域である。これにより、各第１コンタクト２０の上側接点２５ａ及び各第２コンタクト３０の上側接点３５ａはハウジング１０の基板挿入凹部１２に突出し、上側接点２５ａ及び３５ａがＦＰＣ５０に対し上側から更に接圧を付与することになる。
【００２４】
そして、アクチュエータ４０が図５に示す接続位置になると、アクチュエータ４０の第１駆動部４５が第１コンタクト２０の被駆動部２５ｂを更に押し上げ、また同時にアクチュエータ４０の第２駆動部４６が第２コンタクト３０の被駆動部３５ｂを更に押し上げる。これにより、第１コンタクト２０のアーム２５の上側接点２５ａ側が連結部２６の上端近傍を支点として更に下方に変位し、第２コンタクト３０のアーム３５の上側接点３５ａ側が連結部３６の上端近傍を支点として更に下方に変位し、上側接点２５ａ及び３５ａがＦＰＣ５０に対し上側から更に接圧を付与することになる。アクチュエータ４０が接続位置になった状態でＦＰＣ５０の電気コネクタ１への接続が完了する。
【００２５】
このように、電気コネクタ１においては、アクチュエータ４０が図４に示す、解除位置から４５°回動した状態になるまでは、第１コンタクト２０のアーム２５、連結部２６及び弾性アーム２４が弾性アーム２４の湾曲部２４ａ近傍を支点として上方に向けて変形するとともに、第２コンタクト３０のアーム３５、連結部３６及び弾性アーム３４が弾性アーム３４の湾曲部３４ａ近傍を支点として上方に向けて変形する。この際には、弾性アーム２４，３４、連結部２６，３６及び連結部２６，３６から被駆動部２５ｂ、３５ｂまでが弾性変形する領域である。そして、アクチュエータ４０が図４に示す状態から図５に示す接続位置になるまでの間では、第１コンタクト２０のアーム２５の上側接点２５ａ側が連結部２６の上端近傍を支点として下方に変形し、第２コンタクト３０のアーム３５の上側接点３５ａ側が連結部３６の上端近傍を支点として下方に変形する。この際には、連結部２６，３６が弾性変形する領域である。このため、アクチュエータ４０が解除位置から接続位置になるまでには、連結部２６，３６のみが弾性変形する領域ではなく比較的長い領域が弾性変形するので、連結部２６，３６に応力が集中することを回避でき、優れた耐久性を得ることができる。また、同様の理由により、上側接点２５ａ，３５ａの変位量を、弾性変形する領域が連結部２６，３６のみの場合と比較して大きくすることができる。
【００２６】
更に、アクチュエータ４０が図４に示す、解除位置から４５°回動した状態になると、各第１コンタクト２０の弾性アーム２４の後端部２４ｃが停止部２７に当接するとともに、各第２コンタクト３０の弾性アーム３４の後端部３４ｃが停止部３７に当接し、支点が弾性アーム２４，３４の湾曲部２４ａ，３４ａ近傍から連結部２６，３６の上端近傍に移動することになる。そして、支点が移動して以降、ばね長が連結部２６，３６のみに短縮することから、上側接点２５ａ，３５ａの必要な接圧を得ることができる。
なお、ＦＰＣ５０と電気コネクタ１との接続を解除するときには、アクチュエータ４０を図５に示す接続位置から図３に示す解除位置に向けて回動し、ＦＰＣ５０を引き抜けばよい。
【００２７】
以上、本発明の実施形態について説明してきたが、本発明はこれに限定されずに種々の変更、改良を行うことができる。
例えば、ＦＰＣ５０を電気コネクタ１に接続するようにしてあるが、可撓性のある基板であれば、ＦＰＣ５０に限らず、他の基板を接続するようにしてもよい。また、ＦＦＣ（Flexible Flat Cable）などの可撓性のあるケーブルを電気コネクタ１に接続するようにしてもよい。
【００２８】
さらに、上述の実施形態では、下側接点２４ｂ，３４ｂは、アクチュエータ４０を操作する前（図３に示されるアクチュエータ４０の解除位置）において、ハウジング１０の基板挿入凹部１２内に突出していたが、基板挿入凹部１２内に突出しない位置に位置させてもよい。これは、アクチュエータ４０の操作により、下側接点２４ｂ，３４ｂが上昇すると共に上側接点２５ａ，３５ａが下降することから可能になる。これにより、ＦＰＣ５０等の基板のＺＩＦ挿入を達成することができる。
【図面の簡単な説明】
【００２９】
【図１】本発明に係る電気コネクタをＦＰＣとともに示す斜視図である。
【図２】図１に示す電気コネクタの一部を前後方向に切断した状態の断面図である。
【図３】図１に示す電気コネクタを第１コンタクトの位置で前後方向に切断した状態の断面図であって、アクチュエータが解除位置にある状態を示している。
【図４】図１に示す電気コネクタを第１コンタクトの位置で前後方向に切断した状態の断面図であって、アクチュエータが解除位置から４５°回動した状態を示している。
【図５】図１に示す電気コネクタを第１コンタクトの位置で前後方向に切断した状態の断面図であって、アクチュエータが接続位置にある状態を示している。
【図６】図１に示す電気コネクタを第２コンタクトの位置で前後方向に切断した状態の断面図であって、アクチュエータが解除位置にある状態を示している。
【図７】従来の電気コネクタを示し、（Ａ）はアクチュエータが解除位置にあるときの電気コネクタの断面図、（Ｂ）はアクチュエータが接続位置にあるときの電気コネクタの断面図である。
【符号の説明】
【００３０】
１０  ハウジング
１２  基板挿入凹部
２０  第１コンタクト（コンタクト）
２１  基部
２４  弾性アーム
２４ｂ  下側接点
２４ｃ  後端部
２５  アーム
２５ａ  上側接点
２５ｂ  被駆動部
２６  連結部
２７  停止部
３０  第２コンタクト（コンタクト）
３４  弾性アーム
３４ｂ  下側接点
３４ｃ  後端部
３５  アーム
３５ａ  上側接点
３５ｂ  被駆動部
３６  連結部
３７  停止部
４０  アクチュエータ
５０  ＦＰＣ（可撓性のある基板）
【図１】
2008235183.tif 000003
【図２】
2008235183.tif 000004
【図３】
2008235183.tif 000005
【図４】
2008235183.tif 000006
【図５】
2008235183.tif 000007
【図６】
2008235183.tif 000008
【図７】
2008235183.tif 000009